(57)【要約】【課題】使用時にファスニングシートに設けた易切り裂き線を引き裂くように促し、引き裂かれたファスニングシートを用いて紙おむつを使用者にフィットさせることにより、漏れの発生を防止する。【解決手段】紙おむつの背側の両側部にそれぞれ、外方に突出する少なくとも上下２段の突出部が基材シートに形成されるとともに、前記突出部の内側面に粘着剤層又は面ファスナー要素が設けられたファスニングシートを備え、前記突出部を紙おむつの腹側表面に止着することにより身体に装着するようにした使い捨ておむつにおいて、前記上下突出部間において先端側から基端側へ向かって易切り裂き線が形成され、製品状態において、前記ファスニングシートの先端側が、突出部の内面側を内にして、折り返され、前記折り返し左右位置が、前記易切り裂き線の先端より前記ファスニングシートの基端側寄りの位置にある使い捨ておむつを提供する。【選択図】図４
2014028064.tif 000002
【特許請求の範囲】
【請求項１】
紙おむつの背側の両側部にそれぞれ、外方に突出する少なくとも上下２段の突出部が基材シートに形成されるとともに、前記突出部の内側面に粘着剤層又は面ファスナー要素が設けられたファスニングシートを備え、前記突出部を紙おむつの腹側表面に止着することにより身体に装着するようにした使い捨ておむつにおいて、
前記上下突出部間において先端側から基端側へ向かって易切り裂き線が形成され、
製品状態において、前記ファスニングシートの先端側が、突出部の内面側を内にして、折り返され、
前記折り返し左右位置が、前記易切り裂き線の先端より前記ファスニングシートの基端側寄りの位置にあることを特徴とする使い捨ておむつ。
【請求項２】
前記上下突出部間の基端側の形状がほぼＶ字状をなし、先端側から基端側の終端へ向かって次第に狭まる曲線または直線からなる請求項１記載の使い捨ておむつ。
【請求項３】
前記折り返し位置から先端側へ伸びる易切り裂き線の間隔が、前記折り返し位置から基端側へ伸びる易切り裂き線の間隔よりも細かい請求項１または２記載の使い捨ておむつ。
【請求項４】
前記易切り裂き線の先端側から折り返し位置までの間は、ほぼ全ての接合部分が予め切断されている請求項１〜３記載の使い捨ておむつ。
【請求項５】
前記上下２段の突出部のうち、一方の突出部が他方の突出部よりも長く、外方へ突出しており、
前記他方の突出部に設けられた粘着剤層又は面ファスナー要素の強度が、前記一方の突出部に設けられた粘着剤層又は面ファスナー要素の強度よりも強い請求項１〜４記載の使い捨ておむつ。
【請求項６】
前記折り返し左右位置は、前記易切り裂き線の先端側端部から１０ｍｍ以上基端側へ離間した位置である請求項１〜５記載の使い捨ておむつ。
【発明の詳細な説明】
【技術分野】
【０００１】
本発明は、紙おむつの背側の両側部に設けたファスニングテープを紙おむつの腹側表面に止着することによって着用者に装着する使い捨ておむつに関するものである。
【背景技術】
【０００２】
使い捨ておむつに用いられるファスニングテープについては、様々な工夫を施したものが開示されている。例えば、特許文献１記載の発明は、介護者が使用者に展開型紙おむつを装着する際、紙おむつの長手方向に対して使用者を適切な位置に容易に載置して装着できるようにするため、サイドフラップに設けた易切り裂き線と重なる位置に識別部を設けている。また、特許文献２記載の発明は、止着テープの隣接するつまみ部どうしを交差させたり広げたりして使用することを容易にするため、隣接するつまみ部の間に、固定部側に伸びる薄肉部を設けている。さらに、特許文献３記載の発明は、ファスニングシートを通常の止め方以外に、クロス止めにも任意に対応可能とするため、接合片の間のファスニングシート部分に対し、外縁側から内方側に至る易切り裂き線を設けている。
【０００３】
前記特許文献３記載の発明のように、ファスニングシートに設けた易切り裂き線を引き裂くことにより、ファスニングシートを上下に分離することができるタイプの製品は、ファスニングシートを止める位置の自由度が高まってクロス止めが可能となるため、使用者が痩せた体型であったとしても紙おむつをフィットさせることができるという利点がある。また、使用時にファスニングシートを分離させる形態であるため、生産時にはファスニングテープを１つの部材として扱うことができ、紙おむつ本体とファスニングシートの接着位置の調整が容易になる。
【０００４】
しかし、現在、一般に販売されている使い捨ておむつのファスニングシートに設けられた易切り裂き線は見え辛いものであり、ファスニングシートを上下左右に引っ張ることにより初めてその存在に気付く程度のものである。また、前記使い捨ておむつを使用する介護現場では、頻繁に介護職員が入れ替わるケースも多いため、経験年数が短い職員や不慣れな身内の介護者は、ファスニングシートに設けられた易切り裂き線に気づかずに、そのまま使用してしまう傾向が強い。その結果、紙おむつが使用者にフィットせずに、漏れが発生するという問題がある。
【先行技術文献】
【特許文献】
【０００５】
【特許文献１】特許第４０１９１５１号公報
【特許文献２】特開２０１１−２００３３６号公報
【特許文献３】特開２００５−１６０５０６号公報
【発明の概要】
【発明が解決しようとする課題】
【０００６】
そこで、本発明の主たる課題は、使用時にファスニングシートに設けた易切り裂き線を引き裂くように促し、引き裂かれたファスニングシートを用いて紙おむつを使用者にフィットさせることにより、漏れの発生を防止することにある。
【課題を解決するための手段】
【０００７】
上記課題を解決した本発明は次記のとおりである。
＜請求項１記載の発明＞
紙おむつの背側の両側部にそれぞれ、外方に突出する少なくとも上下２段の突出部が基材シートに形成されるとともに、前記突出部の内側面に粘着剤層又は面ファスナー要素が設けられたファスニングシートを備え、前記突出部を紙おむつの腹側表面に止着することにより身体に装着するようにした使い捨ておむつにおいて、
前記上下突出部間において先端側から基端側へ向かって易切り裂き線が形成され、
製品状態において、前記ファスニングシートの先端側が、突出部の内面側を内にして、折り返され、
前記折り返し左右位置が、前記易切り裂き線の先端より前記ファスニングシートの基端側寄りの位置にあることを特徴とする使い捨ておむつ。
【０００８】
（作用効果）
紙おむつの装着作業をする者が、ファスニングシートに設けた易切り裂き線の存在を認識していない場合であっても、紙おむつを装着する段階で、折り返されたファスニングシートの突出部の一方を折り返し位置まで外方へ展開すると、易切り裂き線の先端から少なくとも折り返し位置までは切り裂かれるので、易切り裂き線の存在の確認の有無に関係なく、切り裂きが可能となる。なお、易切り裂き線が折り返し位置よりさらに基端側に延在している場合には、さらに切り裂き操作を行えばよい。
【０００９】
＜請求項２記載の発明＞
前記上下突出部間の基端側の形状がほぼＶ字状をなし、先端側から基端側の終端へ向かって次第に狭まる曲線または直線からなる請求項１記載の使い捨ておむつ。
【００１０】
（作用効果）
前記のような構成にすることにより、易切り裂き線をより容易に切り裂くことができる。
【００１１】
＜請求項３記載の発明＞
前記折り返し位置から先端側へ伸びる易切り裂き線の間隔が、前記折り返し位置から基端側へ伸びる易切り裂き線の間隔よりも細かい請求項１または２記載の使い捨ておむつ。
【００１２】
（作用効果）
折り返し位置から基端側へ伸びる易切り裂き線よりも、折り返し位置から先端側へ伸びる易切り裂き線をより容易に切り裂くことができる。
【００１３】
＜請求項４記載の発明＞
前記易切り裂き線の先端側から折り返し位置までの間は、ほぼ全ての接合部分が予め切断されている請求項１〜３記載の使い捨ておむつ。
【００１４】
（作用効果）
前記請求項３と同様の効果を奏する。
【００１５】
＜請求項５記載の発明＞
前記上下２段の突出部のうち、一方の突出部が他方の突出部よりも長く、外方へ突出しており、
前記他方の突出部に設けられた粘着剤層又は面ファスナー要素の強度が、前記一方の突出部に設けられた粘着剤層又は面ファスナー要素の強度よりも強い請求項１〜４記載の使い捨ておむつ。
【００１６】
（作用効果）
紙おむつの装着作業を行う者が、上下２段の突出部のうち、外方へ突出する長さの長い一方の突出部をつまむように誘導できる。そして、一方の突出部に設けられた粘着剤層又は面ファスナー要素の強度が、他方の突出部に設けられた粘着剤層又は面ファスナー要素の強度よりも弱いため、つまんだ一方の突出部を剥がしやすくなる。
また、他方の突出部に設けられた粘着剤層又は面ファスナー要素の強度が強いため、易切り裂き線の切り裂きが容易となる。
【００１７】
＜請求項６記載の発明＞
前記折り返し左右位置は、前記易切り裂き線の先端側端部から１０ｍｍ以上基端側へ離間した位置である請求項１〜５記載の使い捨ておむつ。
【００１８】
（作用効果）
折り返されたファスニングシートの突出部の一方を折り返し位置まで外方へ展開すると、易切り裂き線の先端から少なくとも折り返し位置まで切り裂かれるため、その切り裂かれる距離を長くすることができる。その結果、更なる切り裂き操作の労力を低減することができる。
【発明の効果】
【００１９】
以上のとおり本発明によれば、使用時にファスニングシートに設けた易切り裂き線を引き裂くように促し、引き裂かれたファスニングシートを用いて紙おむつを使用者にフィットさせることにより、漏れの発生を防止することができる。
【図面の簡単な説明】
【００２０】
【図１】本発明に係る使い捨ておむつの一部破断展開図である。
【図２】使い捨ておむつのファスニングシート部分の要部拡大図である。
【図３】使い捨ておむつのファスニングシート部分の従来の折り返し方法である。
【図４】使い捨ておむつのファスニングシート部分の本発明の折り返し方法である。
【図５】使い捨ておむつのファスニングシート部分の本発明の折り返し方法であって、上下突出部間の基端側の形状が、先端側から基端側へ向かって次第に狭まる曲線からなる例を示した図である。
【図６】使い捨ておむつのファスニングシート部分の本発明の折り返し方法であって、易切り裂き線の先端側から折り返し位置までの間がほぼ全て切断されている例を示した図である。
【図７】使い捨ておむつのファスニングシート部分の本発明の折り返し方法であって、一方の突出部の長さが他方の突出部よりも長い例を示した図である。
【図８】使い捨ておむつのファスニングシート部分の本発明の折り返し方法であって、折り返し位置および易切り裂き線の長さを変えた変形例を示した図である。
【図９】使い捨ておむつのファスニングシート部分の本発明の折り返し方法であって、易切り裂き線の長さを変えた変形例を示した図である。
【発明を実施するための形態】
【００２１】
以下、本発明の一実施形態について、添付図面を参照しながら詳説する。
なお、本発明の使い捨ておむつを構成する各構成物品において、紙おむつを展開した状態で、着用者に近い側の面を「使用面」といい、遠い側の面を「裏面」という。また、着用者の肌に近い側を「使用面側」といい、遠い側を「裏面側」という。さらに、ファスニングシートに関し、ファスニングシートを展開した状態で、使い捨ておむつの幅方向外側を「先端側」といい、幅方向中央側を「基端側」という。
【００２２】
図１は、本発明に係る使い捨ておむつ２００を示している。この使い捨ておむつ２００は、股間部と、その前後両側に延在する腹側部分Ｆ及び背側部分Ｂとを有するものである。各部の寸法は適宜定めることができる。
【００２３】
本実施例のテープ式使い捨ておむつ２００は、裏面側にバックシート１を有し、使用面側に向かって順に、液不透過性シート１５、吸収体３、トップシート２を積層した構造を有している。なお、図示はしないが、吸収体３とトップシート２の間にセカンドシート１６を設けるようにしても良い。
【００２４】
本発明においては、着用者の肌に最も近い側にあるシートをトップシート２という。このトップシート２は、複数枚の単位シートから構成される。
【００２５】
吸収体３の外側には、液不透過性シート１５が吸収体３の周縁より若干食み出すように設けられている。液不透過性シート１５としては、遮水性を有するものが好ましく、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２６】
また、液不透過性シート１５の裏面は、不織布からなるバックシート１により覆われており、このバックシート１は、所定の食み出し幅をもって液不透過性シート１５の周縁より外側に食み出している。バックシート１としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２７】
前記のように、吸収体３の使用面に、セカンドシート１６を設けても良い。セカンドシート１６の側縁から吸収体３が一部食み出すようにセカンドシート１６の幅を設けても良いし、吸収体３の側縁が食み出さないようにセカンドシート１６の幅を広げることもできる。セカンドシート１６としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。本発明においては、このセカンドシート１６を省略する形態も考えることができる。
【００２８】
また、前記紙おむつの腹側表面には、幅方向に沿ってフロントターゲットテープ６が設けられている。このフロントターゲットテープ６に後述する面ファスナー要素９を止着することによって、紙おむつが身体に装着される。
【００２９】
使い捨ておむつ２００の背側方向両端部において、バックシート１とトップシート２の間にファスニングシート５が設けられる。ファスニングシート５とバックシート１やトップシート２とは、ホットメルト接着剤等により接着されている。なお、このファスニングシート５は、必ずしもバックシート１とトップシート２の間に設けなくても良い。具体的には、バックシート１の外面や、トップシート２の内面に設けるようにしても良い。
【００３０】
ファスニングシート５は、複数枚の不織布ＮＦを貼り合わせて形成することも、一枚の不織布ＮＦで形成することもできる。この不織布ＮＦとしては公知のものを特に限定無く用いることができる。不織布ＮＦを構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布ＮＦの加工方法としては、スパンレース法、スパンボンド法、ＳＭＳ法、サーマルボンド法、メルトブローン法、ニードルパンチ法、エアスルー法、ポイントボンド法等の公知の方法を用いることができる。特にオレフィン系繊維を用いたスパンボンド不織布、ＳＭＳ不織布が好ましい。使用する不織布ＮＦの坪量は適宜定めることができるが、好ましくは５０〜１００ｇ／ｍ2の坪量を有するのが好ましい。
【００３１】
このファスニングシート５は、基端側がおむつ本体に固着され、基端側から先端側へ延在する基材シート８を有する。また、ファスニングシート５は、前記基材シート８の先端側に形成した、外方に突出する少なくとも上下２段の突出部１２も有する。この突出部１２は、基材シート８自体を外方へ突出させることによって形成しても良いし、基材シート８とは別体の突出部１２を構成する部材を用意し、それを基材シート８と固着することによって形成しても良い。突出部１２を基材シート８とは別体にする場合、その素材には不織布や弾性伸縮部材を用いることができる。弾性伸縮部材としては、例えば、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。不織布としては、例えば、前記基材シート８と同様の素材を用いることができる。
【００３２】
なお、前記突出部１２は、少なくとも上下２段からなる。上下３段以上の突出部１２を設けるようにしても良いが、製造の容易性や装着時の便宜性を考慮すると段数は少ないほうが好ましく、上下２段からなるものが特に好ましい。突出部１２と突出部１２の間に、両突出部１２が離間した部分（離間部１３）が形成される。
【００３３】
また、前記突出部１２の内側面には、粘着剤層８又は面ファスナー要素９が設けられる。この粘着剤層８としては、例えば、ポリアクリル酸エステルを主体としたアクリル系接着剤や、天然ゴムまたは合成ゴムの弾力性成分を主体とした粘着付与剤を主成分として、これに可塑剤、老化防止剤などが配合されているゴム系接着剤などを使用することができる。その他、ホットメルト接着剤なども使用可能である。また、面ファスナー要素９としては、面ファスナーのフック材やループ材を用いることができる。
【００３４】
突出部１２に面ファスナー要素９を設ける場合においては、紙おむつの腹側表面に設けたフロントターゲットテープ６と面ファスナー要素９とを脱着可能に止着できるようにする。例えば、突出部１２に設けた面ファスナー要素９をフック材とした場合、フロントターゲットテープ６はループ材とする。また、突出部１２に設けた面ファスナー要素９をループ材とした場合、フロントターゲットテープ６をフック材とする。
【００３５】
前記上下突出部１２間の基材シート８には、先端側から基端側へ向かって易切り裂き線１０が形成される。この易切り裂き線１０は、ミシン目であっても良いし、円形や楕円形等の貫通孔を所定の間隔を空けて複数開けたものであっても良い。また、易切り裂き線１０の長さは任意に決定することができる。具体的には、基材シート８の先端側末端から基端側末端まで設けても良いし、先端側末端から基端側へ向かって僅かな距離だけ設けるようにしても良い。しかし、先端側末端から基端側へ向かって僅かな距離だけ設けた場合は、後述する易切り裂き線１０の切り裂きが生じる長さが短くなり、クロス止めをする場合などに更なる切り裂き操作の労力が必要となる。そのため、前記易切り欠き線の長さは、少なくとも基材シート８の先端側末端から１０ｍｍ以上離間した位置まで設けるのが好ましい。
【００３６】
本発明は、製品状態において、前記ファスニングシート５の先端側が、突出部１２の内面側を内にして、折り返される。このとき、その折り返し左右位置は、前記易切り裂き線１０の先端より前記ファスニングシート５の基端側寄りの位置に設ける。
【００３７】
突出部１２の内面側を内にして、ファスニングシート５の先端側を折り返したとき、突出部１２の内面側に設けた粘着剤層又は面ファスナー要素と、対面するファスニングシート５が一時的に止着される。より詳細には、突出部１２の内面側に粘着剤層を設けた場合は、その粘着剤層が粘着剤層と対面するファスニングシートに粘着する。また、突出部１２の内面側に面ファスナー要素を設けた場合は、その面ファスナー要素が面ファスナー要素と対面するファスニングシートに係止する。なお、前記面ファスナー要素が雄材である場合は、ファスニングシートが雌材の役割を果たす。また、前記面ファスナー要素が雌材である場合は、折り返した時に雌材と対面するファスニングシートの表面に雄材を設ける。前記面ファスナー要素が雄材である場合にも、対面するファスニングシートの表面に雌材を設けるようにしてもよい。
【００３８】
そして、紙おむつの装着作業を行う者が、ファスニングシート５に設けた易切り裂き線１０の存在を認識していない場合であっても、紙おむつを装着する段階で、折り返されたファスニングシート５の突出部１２の一方を折り返し位置１４まで外方へ展開すると、易切り裂き線１０の先端から少なくとも折り返し位置１４までは切り裂かれる。これは、一方の突出部１２を外方へ展開する力と、他方の突出部１２の内面側に設けた粘着剤層又は面ファスナー要素が対面するファスニングシート５に止着する力の相互作用によるものである。よって、易切り裂き線１０の存在を認識していない場合であっても、易切り裂き線１０を切り裂くことができる。その結果、引き裂かれたファスニングシート５を用いて紙おむつを使用者にフィットさせて装着することができ、尿などの漏れの発生を防止することができる。なお、易切り裂き線１０が折り返し位置１４よりさらに基端側に延在している場合には、さらに切り裂き操作を行うことで、上下のファスニングシート５をより自由に動かすことができるようになる。その結果、引き裂かれたファスニングシート５を用いて紙おむつを使用者によりフィットさせて装着することができる。
【００３９】
なお、前記上下突出部１２間の離間部１３の基端側の形状がほぼＶ字状をなし、先端側から基端側の終端へ向かって次第に狭まる曲線または直線からなることが好ましい。上下突出部１２間の基端側の形状を図４のようにすることもできるが、図５のような形態にすることにより、易切り裂き線１０をより容易に切り裂くことができる。なお、図５においては曲線からなる例を示したが、直線からなるようにしても良い。
【００４０】
また、前記折り返し位置１４から先端側へ伸びる易切り裂き線１０の間隔は、前記折り返し位置１４から基端側へ伸びる易切り裂き線１０の間隔よりも細かいほうが好ましい。具体的には、折り返し位置１４から先端側へ伸びる易切り裂き線１０の引裂強度を０．０１〜６Ｎ、好ましくは０．０１〜２Ｎとなるようにミシン目間隔を調整し、折り返し位置１４から基端側へ伸びる易切り裂き線１０の引裂強度を３〜１０Ｎ、好ましくは４〜８Ｎとなるようにミシン目間隔を調整することが好ましい。
【００４１】
または、前記易切り裂き線１０の先端側から折り返し位置１４までの間について、ほぼ全ての接合部分が予め切断されているようにする構成も好ましい。このとき、易切り裂き線１０の先端側から折り返し位置１４までの間は、切り裂きを容易にする観点から、接合している箇所の数が少ないほうが好ましい。また、このとき、易切り裂き線１０の先端側から折り返し位置１４までの間で接合している箇所を、先端側に近い位置に設けることが好ましい。接合している箇所が先端側から遠い場合は、切り裂きが容易になるという利点があるが、製造時に先端側が２つに別れて意図しない折れ方をする可能性があるという不利益があるからである。
【００４２】
前記のような構成にすることにより、折り返し位置１４から基端側へ伸びる易切り裂き線１０よりも、折り返し位置１４から先端側へ伸びる易切り裂き線１０をより容易に切り裂くことができる。その結果、装着作業時に、易切り裂き線１０の存在の確認の有無に関係なく、易切り裂き線１０を切り裂くことができるという本発明の効果を得やすくなる。
【００４３】
また、前記上下２段の突出部１２のうち、一方の突出部１２を他方の突出部１２よりも長く、外方へ突出させるとともに、前記他方の突出部１２に設けられた粘着剤層又は面ファスナー要素９の強度を、前記一方の突出部１２に設けられた粘着剤層又は面ファスナー要素９の強度よりも強くすることが好ましい。このように他方の突出部１２に設けられた粘着剤層又は面ファスナー要素９の強度が強いため、一方の突出部１２をつまんで剥がしたときに、易切り裂き線１０の切り裂きが容易となる。また、一方の突出部１２が他方の突出部１２よりも長く、外方へ突出しているため、紙おむつの装着作業を行う者が、上下２段の突出部１２のうち、外方へ突出する長さの長い一方の突出部１２をつまむように誘導することができる。そして、一方の突出部１２に設けられた粘着剤層又は面ファスナー要素９の強度が、他方の突出部１２に設けられた粘着剤層又は面ファスナー要素９の強度よりも弱いため、つまんだ一方の突出部１２を剥がしやすくなる。
【００４４】
また、前記折り返し左右位置は、前記易切り裂き線１０の先端側端部から１０ｍｍ以上基端側へ離間した位置に設けるのが好ましい。このような構成にすることにより、折り返されたファスニングシート５の突出部１２の一方を折り返し位置１４まで外方へ展開すると、易切り裂き線１０の先端から少なくとも折り返し位置１４まで切り裂かれるため、その切り裂かれる距離を長くすることができる。その結果、更なる切り裂き操作の労力を低減することができる。
【００４５】
また、前記易切り裂き線１０の基端には、基端からの引き裂きを防止すべく、Ｃ字形状の切込み２０が設けられている。この切込み２０は易切り裂き線１０を基端側まで引き裂いた場合に、基端に生ずる応力を分散させ、易切り裂き線１０の基端を更に超えて引き裂きが生じないようにするためのものである。したがって、かかる応力を分散させる目的を果たせれば、形状は前記Ｃ 字状に拘泥されず、円形状、楕円状、三角形状等の任意の形状にすることができる。
【００４６】
また、ファスニングシート５を製造する段階において、廃棄部材を減らすために、前記上下２ 段の突出部１２の間の離間部１３の形状と、前記突出部１２の形状とが点対称となるようにするのが良い。具体的には、所定の幅のファスニングシートを繰出して、中央位置に連続して面ファスナー要素９を接着又は接着剤層を塗布する。そして、前記面ファスナー要素９または接着剤層を交互に横切りかつ連続する波状曲線によって切断するとともに、各ファスニングシート５に分割するための切断線を入れ、かつファスニングシート５毎に所定位置に易切り裂き線１０を入れることで製造する。
【符号の説明】
【００４７】
１…バックシート、２…トップシート、３…吸収体、４…バリヤシート、５…ファスニングシート、６…フロントターゲットテープ、７…糸状弾性伸縮部材、８…基材シート、９…面ファスナー要素、１０…易切り裂き線、１１…引き裂き止め、１２…突出部、１３…離間部、１４…折り返し位置、１５…液不透過性シート、１６…セカンドシート、Ｆ…腹側部分、Ｂ…背側部分、ＥＦ…エンドフラップ部、ＳＦ…サイドフラップ部
【図１】
2014028064.tif 000003
【図２】
2014028064.tif 000004
【図３】
2014028064.tif 000005
【図４】
2014028064.tif 000006
【図５】
2014028064.tif 000007
【図６】
2014028064.tif 000008
【図７】
2014028064.tif 000009
【図８】
2014028064.tif 000010
【図９】
2014028064.tif 000011